(57)【要約】      （修正有）【課題】起電力を発生させる金属線を１本にすることにより、構造を簡略化し、製造コストを下げるとともに、金属線の強度を強化し、断線等の故障がしにくいロータリー式炒め・焙煎装置を提供する。【解決手段】中空の回転軸１と、鍋受ローラー１３とで支持された鍋１１と、鍋１１を内部に収納する筐体４０と、鍋１１を回転させるモーター２０と、鍋１１を加熱するバーナー３０と、鍋１１内部の温度を検出する熱電対と、熱電対の検出結果に基づいてバーナー３０の火力を制御するバーナーコントローラー５３と、を有してなるロータリー式炒め・焙煎装置において、熱電対は、導電性の材料で形成された鍋１１と、鍋１１の内側面底部１１Aに一端が密着又は溶接されている１本の金属線３とからなること、及び金属線３は一端が内側面底部１１Aに接続している保護管２内に絶縁されて収納されている。【選択図】図１
2018102485.tif 000002
【特許請求の範囲】
【請求項１】
一端を閉鎖端とし他端を材料受口とした略円筒形状であり、略水平に横倒しにされ、当該円筒形状の閉鎖端外側軸心に片持突着された中空の回転軸と、前記材料受口近辺の外周面下部に配置された鍋受ローラーとで支持された鍋と、当該鍋を内部に収納する筐体と、当該鍋を回転させるモーターと、当該鍋を加熱するバーナーと、当該鍋内部の温度を検出する熱電対と、当該熱電対の検出結果に基づいて前記バーナーの火力を制御するバーナーコントローラーと、を有してなるロータリー式炒め・焙煎装置において
前記熱電対は、導電性の材料で形成された前記鍋と、前記バーナーで加熱される前記鍋の内側面底部に一端が密着又は溶接されている１本の金属線とからなること、
及び前記金属線は一端が前記鍋の内側面底部に接続している保護管内に絶縁されて収納されていること、
を特徴とするロータリー式炒め・焙煎装置。
【請求項２】
前記保護管内には、前記金属線と異なる材質の一本の他の金属線が絶縁されて収納されており、当該他の金属線の一端は、前記金属線の一端及び前記鍋の内側面底部に密着又は溶接されているとともに、当該他の金属線の他端は前記保護管の内壁面の一部に密着又は溶接されていること、
を特徴とする請求項１に記載のロータリー式炒め・焙煎装置。
【請求項３】
前記保護管の他端は、前記鍋の閉塞端内側軸心を貫通して前記回転軸内に貫挿されていること、
を特徴とする請求項１又は２に記載のロータリー式炒め・焙煎装置。
【請求項４】
前記回転軸の末端部位にはスリップリングが取り付けられていて、前記金属線の他端は前記保護管から出て前記スリップリングに至ること、
を特徴とする請求項１から３までのいずれか１項に記載のロータリー式炒め・焙煎装置。
【請求項５】
前記筐体は、導電性の材料で形成されているとともに、前記鍋受ローラーが接触していること、
及び当該筐体の一部と前記バーナーコントローラーとが導線で接続されていること、
を特徴とする請求項１から４までのいずれか１項に記載のロータリー式炒め・焙煎装置。
【請求項６】
前記スリップリングは金属ブラシと接触し、当該金属ブラシと前記バーナーコントローラーとが導線で接続されていること、
を特徴とする請求項１から５までのいずれか１項に記載のロータリー式炒め・焙煎装置。
【請求項７】
前記バーナーコントローラーには、補正機能が備えられていること、
を特徴とする請求項１から６までのいずれか１項に記載のロータリー式炒め・焙煎装置。
【発明の詳細な説明】
【技術分野】
【０００１】
本発明は、焼ソバ、野菜炒め、炒飯、スパゲッティ等の食材を炒めたり、茶葉、米粉、麦、塩、ゼラチン、豆・ナッツ類等を焙煎するのに使用されるロータリー式炒め・焙煎装置に関し、特に、回転鍋の温度を測定して制御するロータリー式炒め・焙煎装置に関する。
【背景技術】
【０００２】
従来より、炒められる食材が入れられる鍋と、その鍋を回転させるモータと、鍋を加熱するバーナーとからなるロータリー式炒め装置がある。一般に、ロータリー式炒め装置の鍋は、一般家庭で用いられるように縦向きに置かれるのではなく、横に寝かせた状態で支持され、鍋の回転軸が地面に水平となるように回転する。そして、食材を撹拌混合するための羽根を鍋の中に配置し、調理時にその羽根を回転させて、短時間で食材を均一に撹拌混合することで、良好な調理をしようとするものである。
【０００３】
特に炒め物においては、短時間の内に高温で食材を処理する必要があるが、鍋の温度が高すぎると焦げが多くなり、鍋の温度が低すぎると油が食材に吸収されずべとついてしまう。従って、従来のロータリー式炒め装置では、鍋の温度を認識することはできず、鍋の温度調整を調理人の感に頼っていたため、良好に炒め調理をすることが容易でなく、そのロータリー式炒め装置を使いこなすのが困難であり長期間に亘る修練が必要であった。
【０００４】
そこで、出願人は、ロータリー式炒め装置における回転鍋の内側の検出した温度に基いて回転鍋の温度を制御することで、良好な炒め調理を自動的に行うことを可能とするロータリー式炒め装置を開発した（特許文献１）。
【先行技術文献】
【特許文献】
【０００５】
【特許文献１】特開２００３−３８３４９
【０００６】
すなわち、特許文献１には、鍋１０の内側に鍋１０の温度を検出する異質の２本の金属からなる熱電対７が密着されており、更に熱電対７の上にステンレス板８が被せられ、ステンレス板８の全ての縁が鍋１０の内側に溶接されて、ステンレス板８と鍋１０の内側との間に熱電対７が密封されてなるロータリー式炒め装置が開示されている。
【０００７】
しかしながら、熱電対７はステンレス板８内に２本の金属線を使用し、かつそれぞれの金属線を互いに絶縁しなければならないため、それぞれの金属線の太さを細くする必要があり、高温の鍋内においては断線や故障などのトラブルが起きやすく、その度に修理が必要となり、メンテナンスに手間と費用がかかってしまうという問題点があった。
【０００８】
また、熱電対７の出力として２本の導線をスリップリング６まで引き込まなければならず、構造が複雑となり、その製造にも手間と費用がかかっていた。
【発明の概要】
【発明が解決しようとする課題】
【０００９】
本発明は、上記課題を解決するためになされたものであって、起電力を発生させる金属線を１本にすることにより、構造を簡略化し、製造コストを下げるとともに、金属線の強度を強化し、断線等の故障がしにくいロータリー式炒め・焙煎装置を提供することにある。
【課題を解決するための手段】
【００１０】
上記目的を達成するため、本発明に係るロータリー式炒め・焙煎装置の第１の特徴は、一端を閉鎖端とし他端を材料受口とした略円筒形状であり、略水平に横倒しにされ、当該円筒形状の閉鎖端外側軸心に片持突着された中空の回転軸と、前記材料受口近辺の外周面下部に配置された鍋受ローラーとで支持された鍋と、当該鍋を内部に収納する筐体と、当該鍋を回転させるモーターと、当該鍋を加熱するバーナーと、当該鍋内部の温度を検出する熱電対と、当該熱電対の検出結果に基づいて前記バーナーの火力を制御するバーナーコントローラーと、を有してなるロータリー式炒め・焙煎装置において、前記熱電対は、導電性の材料で形成された前記鍋と、前記バーナーで加熱される前記鍋の内側面底部に一端が密着又は溶接されている１本の金属線とからなること、及び前記金属線は一端が前記鍋の内側面底部に接続している保護管内に絶縁されて収納されていることにある。
【００１１】
また、本発明に係る本発明に係るロータリー式炒め・焙煎装置の第２の特徴は、前記第１の特徴における前記保護管内に、前記金属線と異なる材質の一本の他の金属線が絶縁されて収納されており、当該他の金属線の一端は、前記金属線の一端及び前記鍋の内側面底部に密着又は溶接されているとともに、当該他の金属線の他端は前記保護管の内壁面の一部に密着又は溶接されていること、を特徴とするものである。
【００１２】
さらに、本発明に係る本発明に係るロータリー式炒め・焙煎装置の第３の特徴は、前記第１又は第２の特徴における前記保護管の他端が、前記鍋の閉塞端内側軸心を貫通して前記回転軸内に貫挿されていることにある。
【００１３】
さらにまた、本発明に係る本発明に係るロータリー式炒め・焙煎装置の第４の特徴は、前記第１から第３のいずれか１の特徴における前記回転軸の末端部位にスリップリングが取り付けられていて、前記金属線の他端は前記保護管から出て前記スリップリングに至ることにある。
【００１４】
また、本発明に係る本発明に係るロータリー式炒め・焙煎装置の第５の特徴は、前記第１から第４のいずれか１の特徴における前記筐体が、導電性の材料で形成されているとともに、前記鍋受ローラーが接触していること、及び当該筐体の一部と前記バーナーコントローラーとが導線で接続されていることにある。
【００１５】
さらに、本発明に係る本発明に係るロータリー式炒め・焙煎装置の第６の特徴は、前記第１から第５のいずれか１の特徴における前記スリップリングが金属ブラシと接触し、当該金属ブラシと前記バーナーコントローラーとが導線で接続されていることにある。
【００１６】
さらにまた、本発明に係る本発明に係るロータリー式炒め・焙煎装置の第７の特徴は、前記第１から第６のいずれか１の特徴における前記バーナーコントローラーに、補正機能が備えられていることにある。
【発明の効果】
【００１７】
本発明によれば、熱電対による熱センサーに利用する金属線を１本にすることで、極めて簡単な構造で熱センサーを製造することができるため、ロータリー式炒め・焙煎装置の製造コストをおさえることができる。
【００１８】
また、金属線を１本にすることで、金属線を太くすることができるため、耐久性に優れた熱センサーを得ることができ、断線や故障などのトラブルの発生率を格段に低くすることができるロータリー式炒め・焙煎装置を得ることができる。
【図面の簡単な説明】
【００１９】
【図１】本願発明に係るロータリー式炒め・焙煎装置の断面側面図である。
【図２】本願発明に係るロータリー式炒め・焙煎装置の正面図である。
【図３】本願発明に係るロータリー式炒め・焙煎装置の第１の実施例における鍋の簡略した正面図である。
【図４】本願発明に係るロータリー式炒め・焙煎装置の第２の実施例における鍋の簡略した正面図である。
【発明を実施するための最良の形態】
【００２０】
以下、本発明の実施形態につき、図面を参照して詳細に説明する。
【実施例１】
【００２１】
なお、本発明装置は、鍋を自動的に回転させつつ鍋を熱するバーナーの火力をその鍋の温度に基いて制御することで、炒め調理又は焙煎を短時間でかつむらなく良好に行うものであるが、本実施形態例では、鍋を横倒しにして支持する形態のロータリー式炒め・焙煎装置を代表例として説明するもこれらに限定されるものではなく、鍋の中心軸を斜めにして支持する形態、又は鍋を横倒しにせずに立てた状態で支持する形態のロータリー式炒め・焙煎装置に提供することができる。
【００２２】
図中１は、本実施形態例のロータリー式炒め・焙煎装置の断面側面図である。図中１１は材料が入れられる鍋、１は鍋１１の鍋底中心部位に軸心を当該鍋１１の軸心延長線上に一致して接続された中空シャフト、２０は鍋１１を回転させるモータ、２１はモータ２０の回転を中空シャフト１に伝達する鍋回転用駆動チェーン、３０は鍋１１を加熱するバーナー、４０は本ロータリー式炒め・焙煎装置の導電性の筐体、４１は筐体４０に設けられた排気口である。
【００２３】
鍋１１は、一端を閉塞端とし他端を材料受口１２とした略円筒形状をしており、材料受口１２が図面左側となるように横倒しにされている。鍋１１は、導電性の部材で形成されていて、例えばステンレス等の軽量の部材が望ましい。なお、本ロータリー式炒め・焙煎装置の稼働中においては、材料受口１２に鍋蓋（図示せず）が被せられる。
【００２４】
また、鍋１１は、当該鍋１１の材料受口１２寄りの外周面下部に配置され鍋１１を回動自在に支持する鍋受けローラー１３と、当該鍋１１の円筒形状の閉鎖端外側軸心延長線上に片持突着された中空シャフト１とで、回動自在に支持されている。中空シャフト１は、筐体４０に取り付けられたフランジ型ベアリング１４で回動自在に貫通支持され、かつ中空のチェーン・スプロケット１５及び円筒状のスリップリング５に挿通されている。スリップリング５は金属ブラシ５０を備えている。５１は金属ブラシ５０と温度調節器５３とを結ぶ導線である。
【００２５】
モータ２０が回転すると、モータ２０の力が鍋回転用駆動チェーン２１を介してチェーン・スプロケット１５に伝達されて中空シャフト１が回転する。中空シャフト１には回動自在に支持されている鍋１１が軸心を共通にして一体固着されているので、中空シャフト１が回転すると鍋１１も回転する。
【００２６】
鍋受けローラー１３は、導電性の材料で形成されており、例えばスレンレス等の軽量の部材が望ましい。また、鍋受けローラー１３は、筐体４０に支持されて取り付けられている。
【００２７】
図中、２は内部に収納したセンサーとしての金属線３が傷まないように保護するための保護管であり、その先端部２Aは、バーナー３０により加熱される鍋１１の内周面底部１１Aに接触している。一方で、保護管２の後端部２Bは、鍋１１の鍋底中心部位の軸心を貫通し、かつ中空シャフト１、チェーン・スプロケット１５の中空部位、及びスリップリング５を貫通して設けられている。
【００２８】
保護管２は、耐久性のある金属、例えばステンレス等のパイプで形成されるのが望ましい。図示の例では、保護管２は、鍋１１の内側面から少し離れて設けられているが、鍋１１の内側面に密着させてもよい。
【００２９】
第１の実施例においてセンサーは、１本の金属線３からなり、保護管２の内部に充填された酸化マグネシウムなどの絶縁性部材により保護管２内で絶縁されている。金属線３の先端部３Aは、保護管２と同様に、バーナー３０により加熱される鍋１１の内周面底部１１Aに接触し、温度計測点（温接点）となっている。先端部３Aは図示の例では、内周面底部１１Aと溶接されているが、圧力をかけて内周面底部１１Aと密着させれば、溶接することを要しない。
【００３０】
一方で、金属線３の後端部３Bは、保護管２を貫通してスリップリング５内まで続いており、保護管２から出てスリップリング５と接続されている。図示の例では、保護管２は鍋１１内から中空シャフト１を介してスリップリング５まで挿通されているが、金属線後端部３Bがスリップリング５に接続されていればよく、例えば保護管２の後端部を鍋１１の鍋底中心部位に溶接し、金属線３を直接中空シャフト１内に絶縁して通しスリップリング５に接続してもよい。
【００３１】
センサーに使用される金属線３は、鍋１１とは異なる金属で形成されており、それ以外の金属であれば材質は特に問わない。代表的な例としては、アルメル等があげられる。また、図中５２は、筐体４０と温度調節器５３を結ぶ導線である。
【００３２】
本発明では、鍋１１と金属線３とで熱電対を構成して起電力を発生させる。鍋１１はアースとしての役割を有し、鍋受けローラー１３や中空シャフト１及びベアリング１４等を通して筐体４０と導通し、導線５２を通して筐体４０の外側に配置されたバーナーコントローラ５３と接続されている。一方、金属線３はスリップリング５及び金属ブラシ５０を通して導線５１によりバーナーコントローラー５３と接続されている。
【００３３】
バーナーコントローラー５３は、鍋１１と金属線３とで構成される熱電対の起電力を検知して温接点の温度を測定し、バーナー３０の火力を制御して温度を調整し、鍋１１の温度が高すぎて焦げが多くなること、及び鍋１１の温度が低すぎて油が食材に吸収されずべとついてしまうことなどを防ぐ。バーナーコントローラー５３は、熱電対の種類によって出力の調整を行い、バーナー３０に適切な出力を行うようになっている。５４は、バーナーコントローラー５３の制御に基いてバーナー３０に対するガスの供給量を調節する電磁弁である。
【００３４】
図中、４２は金属ブラシ５の台座であり、筐体４０に固定されて支持されている。台座４２は絶縁性の部材で構成されている。
【実施例２】
【００３５】
図４は本発明に係るロータリー式炒め・焙煎装置の第２の実施例を示したものであり、鍋１１の簡略正面図である。本実施例では、センサーとして金属線３の先端部３Aと鍋１１の内周面底部１１Aにそれらと異種の金属から構成される金属線４の先端部４Aを温接点にて接合し、一方で金属線４の後端部４Aを保護管２の内周壁面の一部に接合したものである。金属線４は先端部４A及び後端部４Bを除いて保護管２内にて絶縁されている。また、それぞれの接合部は溶接により密着するのが望ましい。
【００３６】
本実施例においては、センサーとして金属線３と金属線４とが熱電対を構成している。金属線４のアースとしては保護管２を利用し、実施例１と同様に鍋１１を通して、鍋受けローラー１３や中空シャフト１及びベアリング１４等を介して筐体４０と導通し、導線５２を通してバーナーコントローラ５３と接続されている。
【００３７】
第２の本実施例における熱電対としては、様々な金属線の組み合わせが考えられるが、金属線３をアルメルとし、金属線４をクロメルとする、いわゆるK熱電対を利用するのが望ましい。
【００３８】
以上、本発明の実施例につき図面を参照して詳細に説明したが、本発明はこれに限定されず、特許請求の範囲に記載した構成の範囲内において様々な態様で実施することができる。例えば、上述の実施形態では、鍋１１を鍋受けローラー１３と回転軸１の２箇所で支持する構成としたが、鍋受けローラー１３を複数設けてもよく、また鍋受けローラー１３の代わりに他の導電性の支持手段を設けてもよい。
【符号の説明】
【００３９】
１          中空シャフト
２          保護管
３、４      金属線    
５          スリップリング
１１          鍋
１２          材料受口
１３          鍋受けローラー
１４          フランジ型ベアリング
１５          チェーン・スプロケット
２０          モーター
２１          駆動チェーン
３０          バーナー
４０          筐体
４１          排気口
４２          台座
５０          金属ブラシ
５１、５２    導線
５３          温度調節器
【図１】
2018102485.tif 000003
【図２】
2018102485.tif 000004
【図３】
2018102485.tif 000005
【図４】
2018102485.tif 000006